(57)【要約】      （修正有）【課題】靴を立ったまま安定した状態でかつ確実に脱げる靴脱ぎ用具を提供する。【解決手段】縦長フープ状の支持フレームの中央部には、各種の靴を自由に通すことが可能な中央空間が設けられ、支持フレームは、これを床等に立てた状態において、人が立った状態でフレーム上端部を手で容易に掴めるような高さに形成されており、中央空間内には、支持フレームに対して上端両側を枢軸により前後方向に回動自在に支持された爪先押さえ版が吊り下げられており、支持フレームには中央空間の下縁に位置する部分に靴の踵を掛け止めるための掛止縁が設けられていることを特徴とする。【選択図】図１
0003151054.tif 000002
【実用新案登録請求の範囲】
【請求項１】
縦長フープ状の支持フレームの中央部には、各種の靴を自由に通すことが可能な中央空間が設けられ、前記支持フレームは、これを床等に立てた状態において、人が立った状態でフレーム上端部を手で容易に掴めるような高さに形成されており、前記中央空間内には、前記支持フレームに対して上端両側を枢軸により前後方向に回動自在に支持された爪先押さえ版が吊り下げられており、前記支持フレームには中央空間の下縁に位置する部分に靴の踵を掛け止めるための掛止縁が設けられていることを特徴とする靴脱ぎ用具。
【考案の詳細な説明】
【技術分野】
【０００１】
本考案は、この考案は靴を立ったまま安定した状態で簡単かつ確実に脱げるようにした靴脱ぎ用具に関するものである。
【背景技術】
【０００２】
従来、靴を立ったまま脱ぐのは容易ではなく、特にロングブーツなど脚を高く包むような靴ではほとんど不可能である。
【０００３】
そのため従来、靴の踵部分を板体に設けたＶ字形状の凹部や縦長ロッドの下端に設けたＶ字型凹部に嵌合して引っ掛けたり、単なる木板やゴム板の縁に靴の踵を引っ掛け、この状態で体が用具に対して後ろ向きのまま足を引き上げることにより、靴を脱ぎ取るようにした靴脱ぎ用具が多々知られている。
【０００４】
しかしながら、このような用具では用具の一部を片方の足や手などで動かないように押さえておいて、他方の足に力を入れて踵をその背後の凹部や板の縁に力を入れて後方に押し付けた状態で、脚を靴から引き上げねばならず、ロングブーツなどの長くて脱ぎ難い靴では脱ぐのが非常に困難であると共に、片方の足で体を支えるので脱ぐ操作において体がふらつき、その安定を保つのが容易でないなどの難点があった。
【０００５】
一方、靴の甲部と踵を２つの押さえ部材で固定した状態で靴を脱ぐようにした用具も知られているが、踵の押さえ部材を靴の出し入れ及び靴の大きさに従って進退自在とし、かつ靴の踵を抑えた状態において動かないように固定するようにした機構をもった用具も知られているが、構造的に複雑で製品として高価であると共に、この用具に靴を入れたり出したりする操作が面倒であるなどの難点があった。
【先行技術文献】
【特許文献】
【０００６】
【特許文献１】特開平２００２−３００９５６号公報
【特許文献２】登録実用新案第３０２８８７４号公報
【特許文献３】実公平７−２７９０４号公報
【特許文献４】特開平２００３−３３２６８号公報
【特許文献５】実開平５−８２３７５号公報
【考案の概要】
【考案が解決しようとする課題】
【０００７】
この考案が解決しようとする課題は、ロングブーツなどの脱ぎ難い靴では脱ぐのが非常に困難であると共に、脱ぐ操作において体の安定を保つのが容易でなく、また構造的に複雑で製品として高価で、かつ靴脱ぎ操作が面倒であるなどの点である。
【課題を解決するための手段】
【０００８】
この考案は、前記従来の課題を解決するために、縦長フープ状の支持フレームの中央部に設けた中央空間内に、前後方向に回動自在に支持された爪先押さえ版を吊り下げたことを最も主要な特徴とする。
【考案の効果】
【０００９】
簡単な構造で、人が用具の前に立ったまま体を安定に保った状態で簡単かつ確実に、しかも余計な力を使うことなく靴、特に脱ぎ難いロングブーツなどをスムースに脱ぐことができる。
【図面の簡単な説明】
【００１０】
【図１】この考案の実施例を示す正面図である。（実施例１）
【図２】この考案の実施例を示す縦断側面図である。
【図３】この考案の使用状態を示す側面図である。
【考案を実施するための形態】
【００１１】
簡単な構造で、人が用具の前に立ったまま体を安定に保った状態で簡単かつ確実に、しかも余計な力を使うことなく靴、特に脱ぎ難いロングブーツなどをスムースに脱ぐことを可能とするという目的を、簡単かつ合理的な構造のもとに実現した。
【実施例１】
【００１２】
この考案の靴脱ぎ用具の本体となる縦長フープ状の支持フレーム１の中央部には、短靴からロングブーツまで各種の靴を自由に通すことが可能な中央空間２が設けられている。
【００１３】
支持フレーム１は、これを床等に立てた状態において、人が立った状態でフレーム上端部を手で容易に掴めるような高さに形成されている。
【００１４】
中央空間２内には、支持フレーム１に対して上端両側を枢軸３により前後方向に回動自在に支持された爪先押さえ版４が吊り下げられている。
【００１５】
支持フレーム１の下端には、支持フレーム１を安定して立てて置けるようにするための水平の台板５が取り付けられている。
【００１６】
支持フレーム１には中央空間２の下縁に位置する部分に靴の踵を掛け止めるための掛止縁６が設けられている。
【００１７】
なお、支持フレーム１の適宜な位置に靴ベラを掛けるための掛け金具７を設ける。
【００１８】
以上のように構成された靴脱ぎ用具を使用する際には、支持フレーム１を床等に立てた状態で、その前方に立ったままの人がその上端を手８（片手又は両手）で掴んで支持フレーム１が容易に動かないように支持した後、図３に示すように履いている片方の靴９の爪先で爪先押さえ板４を押して前方に回動させながら靴９を中央空間２内に押し込み、さらに靴９の甲部を爪先押さえ板４の下方に押し入れて若干後方に引き戻すことにより、靴９の甲部が爪先押さえ板４の下端縁に引掛かると同時に、靴９の踵を支持フレーム１の掛止縁６に当てがうことができ、これによって靴９は掛止縁６と爪先押さえ板４とで挟み付けられて固定される。
【００１９】
この状態で、人が立ったまま足を靴９から引き抜くように引き上げることにより、靴７を極めて簡単かつ確実に安定して脱ぎ去ることが出来る。
【００２０】
その後は他方の靴７も同様にして脱ぎ去る。
【００２１】
要するにこの考案の靴脱ぎ用具では、爪先押さえ板４の下端縁で靴の甲部を上から押さえた状態で靴７の踵を掛止縁６に引っ掛けるので、人が足を靴９から引き抜くように引き上げることにより、靴９の甲部を介して爪先押さえ板４を後方へ引き戻そうとする力（モーメント）が作用し、その力が靴９の踵を掛止縁６に自然に強く押し付けるように作用する。
【００２２】
従って、靴を脱ごうとする人は靴７の踵を掛止縁６に押し付けるような力を入れることなく、単に靴から足を引き抜く方向に力を入れるだけで極めてスムースかつ確実に靴を脱ぐことが可能となり、特に脱ぎ難いロングブーツなども余計な力を使うことなく楽に脱ぐことができる。
【００２３】
また、支持フレーム１の前方に立ってその上端を手で掴み、体を安定させた状態で靴脱ぎ操作を行うことができると共に、靴９の爪先で爪先押さえ板４を押して前方に回動させながら靴７を中央空間２内に押し込むだけで簡単に靴の踵を掛止縁６に引っ掛け、かつ靴の甲部に爪先押さえ板４の下端を当てがうことができる。
【００２４】
なお、支持フレーム１は、靴を履くときにこれに掴まって体を安定して支えた状態で立ったまま靴を履くことに利用することができる。
【産業上の利用可能性】
【００２５】
家の玄関などに置く簡易な家具として利用できる。
【符号の説明】
【００２６】
１    支持フレーム
２    中央空間
３    枢軸
４    爪先押さえ板
５    台板
６    掛止縁
７    掛け金具
８    手
９    靴
【図１】
0003151054.tif 000003
【図２】
0003151054.tif 000004
【図３】
0003151054.tif 000005